(57)【要約】【課題】前面パネルを備えた空気調和機において、駆動モータの取付に係る部品点数の削減と組付工数の低減等を図る。【解決手段】熱交換器７の補助配管の前面に取付けられた防滴カバー２５に、パネル開閉駆動モータ２８を固定するとともに、該パネル開閉駆動モータ２８を覆うモータケース４６を防滴カバー２５と一体的に形成する。係る構成によれば、パネル開閉駆動モータ２８の専用の取付部材を設けるとか、専用のモータケースを設ける必要がなく、部材点数の低減を図ることができる。また、パネル開閉駆動モータ２８と防滴カバー２５を一体として掃除機構Ｙに組付けることができ、組付工数の低減が可能となる。【選択図】図３
2008095975.tif 000002
【特許請求の範囲】
【請求項１】
ケーシング（１）に形成された吸込口（３）から吹出口（４）に至る通風路内に熱交換器（７）とファン（８）を配置してなる空調機構（X）を備えるとともに、上記吸込口（３）の前面側には該吸込口（３）を開閉する前面パネル（２）が設けられた空気調和機であって、
上記熱交換器（７）の補助配管（９）の前面側に取付けられた防滴カバー（２５）に、上記前面パネル（２）を開閉駆動するパネル開閉駆動モータ（２８）を固定するとともに、該パネル開閉駆動モータ（２８）を覆うモータケース（４６）を上記防滴カバー（２５）と一体的に形成したことを特徴とする空気調和機。
【請求項２】
請求項１において、
上記防滴カバー（２５）の側方に近接して電装品箱（２６）が配置されていることを特徴とする空気調和機。
【請求項３】
請求項２において、
上記電装品箱（２６）の扉体（２６ａ）が前方へ開放する構成であることを特徴とする空気調和機。
【請求項４】
請求項１において、
上記吸込口（３）に臨んで配置されたフィルタ（１３）を掃除する掃除機構（Y）が備えられたことを特徴とする空気調和機。
【発明の詳細な説明】
【技術分野】
【０００１】
本願発明は、空調機構を備えるとともに、吸込口を開閉する前面パネルを備えた空気調和機に関するものである。
【背景技術】
【０００２】
従来から、空気調和機において、吸込口を開閉するルーバを備え、該ルーバを駆動モータによって開閉させるようにした技術が提案されている（特許文献１参照）。そして、この場合、上記駆動モータの取付けに係る部材点数を削減する観点から、上記駆動モータをファンモータ室の上部に配置した電装品箱に固定するようにしている。
【０００３】
【特許文献１】特開２００２−３１３６５号公報。
【発明の開示】
【発明が解決しようとする課題】
【０００４】
ところで、空気調和機の前面パネルの開閉機構において、例えば、該前面パネルの駆動モータを電装品箱とかケーシングの左右側壁に取付ける場合には、該電装品箱とかケーシング側壁において生じる結露水とか熱交換器の側部に設けられた該熱交換器の補助配管の表面に生じる結露水から上記駆動モータを保護するためのモータケースを備える必要があるが、係るモータケースとして専用部材を備えた場合には、却って部材点数の増加を招来し、好ましくない。
【０００５】
また、例えば、上記駆動モータを電装品箱の蓋の前面に固定したような場合には、この蓋を開閉する都度、上記駆動モータを着脱する必要があり、作業が非常に煩雑になるという問題がある。
【０００６】
そこで本願発明は、前面パネルを駆動モータにより開閉駆動するようにした空気調和機において、上記駆動モータの取付に係る部品点数の削減及び組付工数の低減等を図ることを目的としてなされたものである。
【課題を解決するための手段】
【０００７】
本願発明ではかかる課題を解決するための具体的手段として次のような構成を採用している。
【０００８】
本願の第１の発明では、ケーシング１に形成された吸込口３から吹出口４に至る通風路内に熱交換器７とファン８を配置してなる空調機構Xを備えるとともに、上記吸込口３の前面側には該吸込口３を開閉する前面パネル２が設けられた空気調和機において、上記熱交換器７の補助配管９の前面側に取付けられた防滴カバー２５に、上記前面パネル２を開閉駆動するパネル開閉駆動モータ２８を固定するとともに、該パネル開閉駆動モータ２８を覆うモータケース４６を上記防滴カバー２５と一体的に形成したことを特徴としている。
【０００９】
本願の第２の発明では、上記第１の発明に係る空気調和機において、上記防滴カバー２５の側方に近接して電装品箱２６が配置されていることを特徴としている。
【００１０】
本願の第３の発明では、上記第２の発明に係る空気調和機において、上記電装品箱２６の扉体２６ａが前方へ開放する構成であることを特徴としている。
【００１１】
本願の第４の発明では、上記吸込口３に臨んで配置されたフィルタ１３を掃除する掃除機構Yを備えたことを特徴としている。
【発明の効果】
【００１２】
本願発明では次のような効果が得られる。
【００１３】
（ａ）本願の第１の発明に係る空気調和機では、上記熱交換器７の補助配管９の前面側に取付けられた防滴カバー２５に、上記前面パネル２を開閉駆動するパネル開閉駆動モータ２８を固定するとともに、該パネル開閉駆動モータ２８を覆うモータケース４６を上記防滴カバー２５と一体的に形成している。
【００１４】
従って、この発明によれば、
（ａ−１）  上記防滴カバー２５に上記パネル開閉駆動モータ２８を取付けることで、該パネル開閉駆動モータ２８の専用の取付部材を設ける必要がなく、それだけ部材点数の低減を図ることができる、
（ａ−２）  上記モータケース４６を上記防滴カバー２５と一体的に形成したことで、専用のモータケースを設ける場合に比して、部材点数が低減できる、
（ａ−３）  上記パネル開閉駆動モータ２８を上記防滴カバー２５に取付けて、これらを一体として組付けることができ、例えば、上記パネル開閉駆動モータ２８と上記防滴カバー２５をそれぞれ個別に組付ける場合に比して、組付工数の低減が可能となる、
等の効果が得られるものである。
【００１５】
（ｂ）本願の第２の発明に係る空気調和機によれば、上記（ａ）に記載の効果に加えて次のような特有の効果が得られる。即ち、この発明では、上記防滴カバー２５の側方に近接して電装品箱２６が配置されているので、上記防滴カバー２５に取付けられた上記パネル開閉駆動モータ２８から上記電装品箱２６至るハーネス配置経路が直線的で且つ短くなり、その結果、ハーネスの取り回し作業が容易であり、組付工数の低減及び組付不良の低減が期待できる。
【００１６】
（ｃ）本願の第３の発明に係る空気調和機によれば、上記（ｂ）に記載の効果に加えて次のような特有の効果が得られる。即ち、この発明では、上記電装品箱２６の扉体２６ｂが前方へ開放する構成であることから、該扉体２６ａの開閉時にこれが上記パネル開閉駆動モータ２８と干渉するようなことがなく、その結果、電装品の保守点検作業が容易化される。
【００１７】
（ｄ）本願の第４の発明に係る空気調和機によれば、上記吸込口３に臨んで配置されたフィルタ１３を掃除する掃除機構Yを備えているが、この掃除機構は上記空調機構Ｘと吸込口の間のスペースに配置されるものであることから、該掃除機構Yの存在は、上記パネル開閉駆動モータ２８及び上記防滴カバー２５の配置上何らの影響も及ぼすものではなく、従って、上記掃除機構Yを備えた空気調和機においても、上記（ａ）に記載の効果を得ることができるものである。
【発明を実施するための最良の形態】
【００１８】
以下、本願発明を好適な実施形態に基づいて具体的に説明する。
【００１９】
図１及び図２には、本願発明の実施形態に係る空気調和機Zが示されている。この空気調和機Ｚは、セパレート型空気調和機の室内機であって、室内壁面に取付けられる横長箱状のケーシング１を備えている。また、上記ケーシング１の前面壁１Aと天面壁１Bにはそれぞれ前面吸込口３Aと上面吸込口３Bが設けられている。また、上記前面吸込口３Aの前面側には、前面パネル２が設けられている。
【００２０】
この前面パネル２は、図１及び図２においてそれぞれ実線図示するように、上記前面吸込口３Aに接近して該前面吸込口３Aを目隠しする閉位置と、同各図においてそれぞれ鎖線図示するように、上記閉位置から下方へ移動しつつその上端側を前方へ押し出した前傾状態の開位置の間で開閉可能とされ、該開位置において上記前面吸込口３Aを開口するように構成されている。
【００２１】
また、上記ケーシング１の底面壁１Cの前後方向中間位置には、横長開口状の吹出口４が設けられているとともに、該吹出口４には水平フラップ４４と垂直フラップ４５が備えられている。
【００２２】
さらに、上記ケーシング１の上記吹出口４よりも前方側で、且つ上記前面壁１Aの下端に近接する位置に設けた収納部３０内には、後述するダストボックス２０を備えた掃除ブラシ１７が装着されている。
【００２３】
図２に示すように、上記ケーシング１内の上記吸込口３から上記吹出口４に至る通風路には熱交換器７とファン８が収容され、これらによって空調機構Xが構成されている。尚、上記熱交換器７は、上記吸込口３に離間対向して上下方向へ延びる第１熱交換器７Ａと、該第１熱交換器７Ａの上端に連結されてここから背面壁１E側へ下降傾斜する第２熱交換器７Ｂとからなる略山形の屈曲形体を有している。また、図３において符号９は、上記熱交換器７の側部に配置された該熱交換器７の補助配管である。
【００２４】
一方、上記ケーシング１の上記前面吸込口３Aと上記第１熱交換器７Ａの前面との間の前面側スペースと、上記第１熱交換器７Ａと第２熱交換器７Ｂの上部と上記上面吸込口３Bとの間の上面側スペースには、これら両スペースに跨って次述する掃除機構Yが配置されている。
【００２５】
上記掃除機構Yは、図２〜図５に示すように、左右一対のケーシング体１４Ａ、１４Bを、その幅方向に連結一体化して構成された掃除ユニットケーシング１４を備えるものであって、上記ケーシング１の前面吸込口３Aから上面吸込口３Bの内面に沿うように湾曲した側面視形体を有している。即ち、上記各ケーシング体１４Ａ、１４Bは、共に、湾曲した側面視形体をもつ左右一対の側壁部１５，１６と、これら各側壁部１５，１６の間を格子材で連結して一体化した枠状形体をもち、第１ケーシング体１４Ａの側壁部１６と、第２ケーシング体１４Bの側壁部１６とを衝合させた状態で連結することで上記掃除ユニットケーシング１４が構成されている。
【００２６】
また、上記各ケーシング体１４Ａ、１４Bの上記各側壁部１５，１６の内側縁のうち、上記ケーシング１の上記上面吸込口３Bに対応する部分には、それぞれガイド溝１５a,１６aが設けられている。一方、上記各ケーシング体１４Ａ、１４Bのうち、上記ケーシング１の前面吸込口３Ａに対応する前面部分のそれぞれには、これをその外側（前面側）から覆うようにして、枠状のフィルタ押さえ４３が、その上縁側を回動中心として前後方向へ回動可能に取付けられている。
【００２７】
そして、上記掃除ユニットケーシング１４の上記各ケーシング体１４Ａ、１４Bの前面側には、それぞれこれを覆うようにして、格子状の枠体１３aの内側にフィルタ１材１３ｂを張設してなる板状のフィルタ１３が配置される。この場合、上記フィルタ１３は、上記各ケーシング体１４Ａ、１４Bの上面側においては、その左右両縁部を上記一方の側壁部１５のガイド溝１５aと他方の側壁部１６のガイド溝１６aに嵌入させており、該各ガイド溝１５a、１６aにガイドされて上記各ケーシング体１４Ａ、１４Bの湾曲方向に沿って移動可能とされている。また、上記フィルタ１３は、上記各ケーシング体１４Ａ、１４Bの前面部分においては、上記フィルタ押さえ４３によって浮き上がりが防止されるようになっている。
【００２８】
上記フィルタ１３は、図２に示すように、その前端１３ｃが、上記各ケーシング体１４Ａ、１４Bの前面部分において、上下方向に離間して平行配置された第１プーリ１１と第２プーリ１２の間に掛け回されたベルト１０に係止され、該ベルト１０の走行に伴ってこれと一体的に移動される。そして、図２に示すように、その後端１３ｄが上記掃除ユニットケーシング１４の後端部に位置し、その前端１３ｃが上記第１プーリ１１の近傍に位置するような配置状態を基本とする。この配置状態は、通常の空調運転時における位置であり、以下、「第１フィルタ位置」という。
【００２９】
これに対して、上記フィルタ１３の掃除を行なう掃除運転時には、上記第１プーリ１１が正転し上記ベルト１０が矢印a方向へ走行し、上記フィルタ１３は該ベルト１０とともに上記「第１フィルタ位置」から上記第１プーリ１１の外側を迂回して上記第２プーリ１２の上面側まで引き出される。この時のフィルタ１３の位置を「第２フィルタ位置」という。また、「第２フィルタ位置」において、上記第１プーリ１１が逆転し上記ベルト１０が矢印ｂ方向へ走行することで、上記フィルタ１３は該ベルト１０とともに上記「第２フィルタ位置」から「第１フィルタ位置」まで戻される。
【００３０】
このように、上記フィルタ１３が上記「第１フィルタ位置」と「第２フィルタ位置」の間で往復動する際に、上記掃除ブラシ１７によって上記フィルタ１３の表面に捕集されたゴミが掻き落とされ、該フィルタ１３のゴミ捕集機能が再生されるものである。
【００３１】
ここで、上記フィルタ１３の駆動機構を更に詳しく説明する。この駆動機構は、上述のように図４に示すように、上下方向に離間配置された上記第１プーリ１１と第２プーリ１２間に上記ベルト１０を掛け回して構成されるベルトユニットUを、上記各プーリ１１，１２の軸方向に所定間隔（具体的には、上記ケーシング体１４Ａ、１４Bの略幅寸法）をもって対向配置するとともに、一方のベルトユニットUの第１プーリ１１と他方のベルトユニットUの第１プーリ１１の間をローラ３３によって連結しこれを一体化するとともに、一方のベルトユニットUの第２プーリ１２と他方のベルトユニットUの第２プーリ１２の間を連結軸３８によって連結しこれを一体化して構成される。そして、一方のベルトユニットUの第１プーリ１１をフィルタ駆動モータ３１によって正転方法及び逆転方向へ選択的に回転駆動することで、上記各ベルトユニットU、Uにそれぞれ設けられた上記各ベルト１０，１０が同期して走行するようになっている。
【００３２】
この場合、上記ベルト１０には、所定ピッチで、ベルト長さ方向に長軸をもつ係止穴４７が形成されている。また、上記フィルタ１３の枠材１３aの左右両側部の下面には、上記ベルト１０側の上記係止穴４７と同ピッチで係止突起４８が設けられており、該フィルタ１３側の上記係止突起４８を上記ベルト１０側の上記係止穴４７に係入させることで、該フィルタ１３は上記ベルト１０と一体化され、該ベルト１０の往復走行に伴って上記「第１フィルタ位置」と上記「第２フィルタ位置」の間で往復動される。
【００３３】
尚、このように同期走行するように構成された上記一対のベルトユニットU、Uでなる駆動機構は、上記掃除ユニットケーシング１４の上記ケーシング体１４Ａに対応する部位と、ケーシング体１４Bに対応する部位にそれぞれ配置され、左右一対のフィルタ１３，１３をそれぞれ走行駆動するようになっている。
【００３４】
ところで、上記掃除機構Yには、図５〜図７に示すように、上記掃除ユニットケーシング１４の幅方向の一方側に、上記第１プーリ１１を駆動させるためのフィルタ駆動モータ３１、３２と、上記掃除ブラシ１７を駆動するためのブラシ駆動モータ３９と、上記前面パネル２を開閉駆動するためのパネル開閉駆動モータ２８を集中配置している。尚、上記一対のフィルタ駆動モータ３１，３２のうち、下側のフィルタ駆動モータ３１は上記掃除ユニットケーシング１４の正面視右側に位置する一対のベルトユニットU、Uの第１プーリ１１を駆動するものである。また、上側に位置するフィルタ駆動モータ３２は、上記掃除ユニットケーシング１４の正面視左側に位置する一対のベルトユニットU、Uの第１プーリ１１を駆動するものであり、このフィルタ駆動モータ３２の駆動力は伝動軸３７を介して伝達される。
【００３５】
このように上記掃除ユニットケーシング１４の幅方向の一方側に上記各モータを配置した場合、これらを該掃除ユニットケーシング１４の表面とか上記補助配管９の表面に発生する結露水から保護する必要がある。このため、この実施形態では、上記掃除ユニットケーシング１４の上記ケーシング体１４Ａの側壁１５の外面には、上記熱交換器７側の上記補助配管９の前面側に位置するようにして防滴カバー２５を取付け、該側壁１５側に固定された上記防滴カバー２５によって上記フィルタ駆動モータ３１，３２と上記ブラシ駆動モータ３９の三者をその外側から覆ってこれを保護するようにしている。
【００３６】
一方、上記パネル開閉駆動モータ２８は、図７に示すように、上記掃除ユニットケーシング１４の幅方向外側に配置された揺動部材４７を介して上記前面パネル２を開閉駆動するものであるため、そのモータ軸に取付けられたギヤ２９は外部に露出していることが必要である反面、上記パネル開閉駆動モータ２８はこれを結露水から保護することが必要である。また、図３に示すように、上記防滴カバー２５よりさらに幅方向外側には、電装品箱２６が上記防滴カバー２５に近接して配置されている。
【００３７】
このような構成上の特徴を考慮して、この実施形態では、上記パネル開閉駆動モータ２８を上記防滴カバー２５の上部２５ａに固定し、該パネル開閉駆動モータ２８を上記防滴カバー２５と一体的に上記ケーシング体１４Ａの側壁１５に着脱できるようにしている。さらに、上記パネル開閉駆動モータ２８を覆ってこれを結露水から保護するためのモータケース４６を、上記防滴カバー２５の一部としてこれと一体的に形成している。
【００３８】
さらに、上記パネル開閉駆動モータ２８を上記防滴カバー２５側に固定したものにおいて、且つ上記防滴カバー２５の側方に上記電装品箱２６が近接配置されていることから、扉体２６ａの開閉時における該扉体２６ａと上記防滴カバー２５及び上記パネル開閉駆動モータ２８との干渉を回避すべく、上記電装品箱２６の扉体２６ａの配置位置を上記掃除ユニットケーシング１４の前面側に設定している。
【００３９】
このような上記パネル開閉駆動モータ２８の取付けに関する特有の構成によって、この実施形態では以下のような作用効果が得られる。
【００４０】
即ち、この実施形態では、上記掃除機構Yの掃除ユニットケーシング１４の側壁１５に取付けられた上記各モータ３１，３２，３９を覆うように上記補助配管９の前面側に設けられた上記防滴カバー２５に上記パネル開閉駆動モータ２８を固定するとともに、該パネル開閉駆動モータ２８を覆うモータケース４６を上記防滴カバー２５と一体的に形成している。
【００４１】
従って、上記防滴カバー２５に上記パネル開閉駆動モータ２８を取付けることで、該パネル開閉駆動モータ２８の専用の取付部材を設ける必要がなく、それだけ部材点数の低減及び構造の簡略化、延いては低コスト化を図ることができる。また、係る作用効果は、上記モータケース４６を上記防滴カバー２５と一体的に形成したことによっても得られる。
【００４２】
さらに、上記パネル開閉駆動モータ２８を上記防滴カバー２５に固定しているので、該パネル開閉駆動モータ２８を上記防滴カバー２５と一体として掃除機構Ｙの上記掃除ユニットケーシング１４側に組付けることができ、例えば、上記パネル開閉駆動モータ２８と上記防滴カバー２５をそれぞれ個別に上記掃除ユニットケーシング１４に組付ける場合に比して、組付工数を低減でき、延いては低コスト化が可能となる。
等の効果が得られるものである。
【００４３】
また、この実施形態では、上記防滴カバー２５の側方に近接して電装品箱２６が配置されているので、上記防滴カバー２５に取付けられた上記パネル開閉駆動モータ２８から上記電装品箱２６至るハーネス配置経路が直線的で且つ短くなり、その結果、ハーネスの取り回し作業が容易であり、組付工数の低減及び組付不良の低減が期待できる。
【００４４】
さらに、上記電装品箱２６の扉体２６ｂをその前方へ開放させる構成としているので、該扉体２６ａの開閉時にこれが上記パネル開閉駆動モータ２８と干渉するようなことがなく、その結果、電装品の保守点検作業が容易化される。
【００４５】
尚、上記実施形態では、壁掛型の空気調和機（室内機）を例にとって説明したが、本願発明はこれに限定されるものではなく、例えば、天井埋込型、床置型等の空気調和機にも適用できることは言うまでも無い。また、上記実施形態では、空調機構Ｘと掃除機構Ｙを併設した空気調和機Ｚを例にとって説明したが、本願発明はこれに限定されるものではなく、例えば、上記掃除機構Ｙを備えない構成の空気調和機にも適用できるものである。
【図面の簡単な説明】
【００４６】
【図１】本願発明の形態に係る空気調和機の外観斜視図である。
【図２】図１のＩＩ−ＩＩ拡大断面図である。
【図３】図１に示した空気調和機においてケーシングを取外した状態の外観斜視図である。
【図４】フィルタ駆動機構の構造を示す斜視図である。
【図５】掃除機構の側面視である。
【図６】図５のＶＩ−ＶＩ拡大断面図である。
【図７】図１のＶＩＩ−ＶＩＩ拡大断面図である。
【符号の説明】
【００４７】
１      ・・ケーシング
２      ・・前面パネル
３      ・・吸込口
４      ・・吹出口
７      ・・熱交換器
８      ・・ファン
９    ・・補助配管
１０    ・・ベルト
１１    ・・第１プーリ
１２    ・・第２プーリ
１３    ・・フィルタ
１４    ・・掃除ユニットケーシング
１５    ・・側壁部
１６    ・・側壁部
１７    ・・掃除ブラシ
１８    ・・ブラシ軸
１９    ・・ブラシ
２０    ・・ダストボックス
２５    ・・防滴カバー
２６    ・・電装品箱
２８    ・・パネル開閉モータ
２９    ・・ギヤ
３１    ・・フィルタ駆動モータ
３２    ・・フィルタ駆動モータ
３３    ・・ローラ
３４    ・・芯材
３５    ・・表面材
３６    ・・フィルタ駆動モータ
３７    ・・伝動軸
３９    ・・ブラシ駆動モータ
４３    ・・フィルタ押さえ
４４    ・・水平フラップ
４５    ・・垂直フラップ
４６    ・・モータケース
４７    ・・揺動部材
Ｘ    ・・空調機構
Ｙ    ・・掃除機構
Ｚ    ・・空気調和機
【図１】
2008095975.tif 000003
【図２】
2008095975.tif 000004
【図３】
2008095975.tif 000005
【図４】
2008095975.tif 000006
【図５】
2008095975.tif 000007
【図６】
2008095975.tif 000008
【図７】
2008095975.tif 000009